(57)【要約】【課題】ウェブ上での物々交換に際し、現金の替わりにポイントを介在することで、当該物々交換の促進を図る。【解決手段】物々交換ネットのウェブサイト１にアクセス可能とするネットワーク端末５を備え、ネットワークＷを介して、本人が売りたい商品をウェブ上に登録する商品登録手段６と、他人がその商品を手に入れた際に、当該商品の売値に相当するポイントをネットワークＷを介して本人に付与させるポイント付与手段８と、本人が取得したポイントを使って、ウェブ上に他人によって登録されている別の商品をネットワークを介して当該本人に取得させる商品取得手段７とを備える。 【選択図】図１
2008097486.tif 000002
【特許請求の範囲】
【請求項１】
物々交換ネットのウェブサイトにアクセス可能とするネットワーク端末を備え、ネットワークを介して、本人が売りたい商品をウェブ上に登録する商品登録手段と、他人がその商品を手に入れた際に、当該商品の売値に相当するポイントをネットワークを介して本人に付与させるポイント付与手段と、本人が取得したポイントを使って、ウェブ上に他人によって登録されている別の商品をネットワークを介して当該本人に取得させる商品取得手段とを備えたことを特徴とする物々交換ネットシステム。
【請求項２】
ポイント付与手段は、商品登録手段による本人のウェブ上への商品登録と同時に設定され、その商品の入手者が発生した時点で本人に当該商品の売値に相当するポイントが付与されるものとした請求項１記載の物々交換ネットシステム。
【発明の詳細な説明】
【技術分野】
【０００１】
本発明は、ネットワーク端末によるポイントシステムを用いた物々交換ネットシステムに関する。
【背景技術】
【０００２】
従来、電子商取引であるＥコマースにおいて、ユーザがウェブサイト上の商品を購入したい場合には、現金が必要となる。また、クレジットカードでウェブサイト上の商品を買う場合も、結局は決済のために現金が必要となる。さらに、ポイントでウェブサイト上の商品を購入できる場合も、そもそもそのポイントを入手するための現金が必要である。
【０００３】
このような従来のポイントサービスシステムは、商店で商品を購入して現金の支払がなされた際、購入者に所定のポイントを付与し、このポイントが所定の点数に到達した場合、特定の商品をプレゼントしたり、或いは所定の金額に換算して支払の一部とするものである。購入者は、このように付与されるポイントを累積的に保有することが可能であり、このようにして累積されたポイントを、商品購入の際に、貨幣の代替価値として利用したり、または、サービスを利用するために用いたり、さらに、景品との交換に使用したりすることができる。
【０００４】
この他、従来では、例えば、特許文献１に開示されているように、サーバ上で各ユーザの累積ポイントと各店舗における特典情報とを管理し、ユーザ端末へ配信するインターネットを利用したポイントシステムがある。
【０００５】
また、特許文献２に開示されているように、ユーザが商品を購入する際に、購入する商品に応じて、現在保持されているポイント数に対して、購入する際に使用できる増加するポイント数（増加割合）を変更し、さらに、購入する商品の価格や、商品の新らしさの程度又は、商品の人気の程度などに応じて、現在保持されているポイントに対して、購入する際に使用できる増加するポイント数を設定し、また、ユーザが保有しているポイント数に応じて、増加するポイント数を決定するものとしたポイントシステムおよび販売対象の提供方法がある。
【０００６】
また、特許文献３に開示されているように、カードによる既存のポイントシステムをネットワーク型システムへ安全に移行するとともに、両者の方法の併用を可能にし、オンラインショッピングやカタログショッピングにも応用可能としたネットワーク型情報端末とネットワーク型認証端末による電子認証システムを用いたポイントシステムがある。
【０００７】
また、特許文献４に開示されているように、入力された債務特定情報を基にして、カードテーブルから債務者名義のカードを特定するカード特定情報を取得すると共に、前記債務名称テーブルから債務名称を取得し、該債務名称を基にして前記利率テーブルから返済利率を取得し、該返済利率を基にして前記ポイント付与率テーブルからポイント付与率を取得してポイントを算出し、前記取得されたカード特定情報と前記算出されたポイントとを関連付けてポイントテーブルに記憶させるものとしたポイント付与方法がある。
【特許文献１】特開２００３−３３１２０１号公報
【特許文献２】特開２００４−１１０５０４号公報
【特許文献３】特開２００５−３２７２４３号公報
【特許文献４】特開２００５−３１６８９２号公報
【発明の開示】
【発明が解決しようとする課題】
【０００８】
しかしながら、従来のようにインターネットの環境下での商品販売システムにおいては、現金を使用するポイントシステムから域を脱しておらず、現金を直接使用しないで、ポイントのみを介在させることにより、物々交換が行えるものとした物流システムは未だに存在していないものである。
【０００９】
また、ウェブ上において物々交換させるサイトは存在するが、これらは皆、自分が登録した商品と交換したい商品をウェブ上で呼びかけ、他人がたまたま交換したい商品を持っていて、しかも、たまたま登録した商品がほしいという他人がいた場合にだけ物々交換が成立するというものであり、したがって、物々交換がスムーズに行えないという問題点を有していた。
【００１０】
そこで、本発明は、叙上のような従来存した諸事情に鑑み案出されたもので、ウェブ上での物々交換に際し、現金の替わりにポイントを介在させることで、当該物々交換の促進が効率良く図れるものとした物々交換ネットシステムを提供することを目的とする。
【課題を解決するための手段】
【００１１】
上述した課題を解決するため、本発明にあっては、物々交換ネットのウェブサイトにアクセス可能とするネットワーク端末を備え、ネットワークを介して、本人が売りたい商品をウェブ上に登録する商品登録手段と、他人がその商品を手に入れた際に、当該商品の売値に相当するポイントをネットワークを介して本人に付与させるポイント付与手段と、本人が取得したポイントを使って、ウェブ上に他人によって登録されている別の商品をネットワークを介して当該本人に取得させる商品取得手段とを備えたことを特徴とする。
【００１２】
ポイント付与手段は、商品登録手段による本人のウェブ上への商品登録と同時に設定され、その商品の入手者が発生した時点で本人に当該商品の売値に相当するポイントが付与されるものとする。
【発明の効果】
【００１３】
本発明によれば、ウェブ上での物々交換に際し、現金の替わりにポイントを介在させることで、当該物々交換の促進が効率良く図れるものとなる。
【発明を実施するための最良の形態】
【００１４】
以下、図面を参照して本発明を実施するための最良の一形態を説明する。
図１に示すように、本形態に係る物々交換ネットは、主に、サーバＰ側が提供するウェブサーバ１、ユーザ管理情報を蓄積するユーザ管理情報データベース２、各ユーザＱ１、Ｑ２、Ｑ３…側によりウェブ上に登録された商品情報を蓄積する商品登録情報データベース３、登録されている商品の売値に相当するポイントを管理するポイント管理データベース４、インターネット等のネットワークＷ、およびネットワークＷを介して接続される各ユーザＱ１、Ｑ２、Ｑ３…が利用するウェブブラウザを有するクライアント側のネットワーク端末５で構成される。
【００１５】
そして、ネットワーク端末５には、或る特定のユーザＱ１が売りたい商品をネットワークＷを介してウェブ上に登録する商品登録手段６を備え、また、或る特定のユーザＱ１が取得したポイントを使って、ウェブ上に他のユーザＱ２によって登録されている別の商品をネットワークＷを介して当該或る特定のユーザＱ１に取得させる商品取得手段７を備えている。一方、ウェブサーバ１には、他のユーザＱ２がその商品を手に入れた際に、当該商品の売値に相当するポイントをネットワークＷを介して或る特定のユーザＱ１に付与させるポイント付与手段８を備えている。
【００１６】
このウェブサーバ１は、物々交換ネットにおけるポイントシステムサーバであり、クライアント側のネットワーク端末５は、購入者側の利用装置であって、パーソナルコンピュータ、ＰＤＡ、携帯電話、ＰＨＳ等の情報処理装置である。
【００１７】
具体的には、ウェブサーバ１は、管理者の管理の下にユーザＱ１、Ｑ２、Ｑ３…自身がこの物々交換ネットのウェブサイトにアクセスすることができるよう当該管理者のサーバＰ側コンピュータに設置されており、該サーバＰ側コンピュータは例えば設置型の汎用パーソナルコンピュータやモバイルコンピュータ等の複数のユーザＱ１、Ｑ２、Ｑ３…側クライアント装置であるネットワーク端末５に、例えばインターネット・イントラネット・エクストラネット・ＷＡＮ・ＬＡＮ等の専用回線によるネットワークＷを介して接続されている。
【００１８】
また、商品登録情報データベース３は、各ユーザＱ１、Ｑ２、Ｑ３…による希望商品購入のための商品情報を格納し、アクセスしたユーザＱ１、Ｑ２、Ｑ３…側に各商品情報を提供する。さらに、ポイント管理データベース４は、ウェブ上への商品登録と同時に当該商品の売値に相当するポイントが格納される。このポイント情報は、商品登録した各ユーザＱ１、Ｑ２、Ｑ３…側のネットワーク端末５に予め送信される。
【００１９】
例えば、ユーザＱ１側のネットワーク端末５によりウェブ上で希望の商品を手に入れた際には、当該商品の売値に相当するポイントを、サーバＰ側のウェブサーバ１により生成し、ネットワークＷを介して当該商品を登録提供した他のユーザＱ２側のネットワーク端末５に送信することでポイントが付与される。
【００２０】
このとき、サーバＰ側は、ポイント管理データベース４における各ユーザＱ１、Ｑ２、Ｑ３…ごとのポイント残高を管理し、それぞれの最新の累積ポイント残高を各ユーザＱ１、Ｑ２、Ｑ３…側のネットワーク端末５へ送信する。
【００２１】
次に、以上のように構成された最良の形態についての使用の一例について、図２に示すフローチャートに基づき説明する。先ず、ユーザＱ１側はネットワーク端末５から物々交換ネットのウェブサイトへアクセスし、該ブラウザへの入力によって、ウェブ上へ自己所有の売りたい商品を登録する。と同時に当該商品の売値に相当するポイントがウェブサーバ１におけるポイント管理データベース４に格納され、このポイント情報は、ユーザＱ１側のネットワーク端末５に送信される。
【００２２】
ユーザＱ１、Ｑ２、Ｑ３…の商品情報は、商品登録情報データベース３に格納され、アクセスしたユーザＱ１、Ｑ２、Ｑ３…側に各商品情報が提供される。
【００２３】
ユーザＱ１側のネットワーク端末５によりウェブ上で希望の商品を手に入れた際には、当該商品の売値に相当するポイントを、サーバＰ側のウェブサーバ１により生成し、ネットワークＷを介して当該商品を登録提供した他のユーザＱ２側のネットワーク端末５に送信することで、他のユーザＱ２にポイントが付与される。
【００２４】
さらに、他のユーザＱ２側が取得したポイントを使って、ウェブ上に更に他のユーザＱ３によって登録されている別の商品をネットワークＷを介して当該他のユーザＱ２側に取得させる。このとき、当該商品の売値に相当するポイントを、サーバＰ側のウェブサーバ１により生成し、ネットワークＷを介して当該商品を登録提供した更に他のユーザＱ３側のネットワーク端末５に送信することで、当該他のユーザＱ２にポイントが付与される。
【００２５】
このとき、サーバＰ側は、ポイント管理データベース４における各ユーザＱ１、Ｑ２、Ｑ３…ごとのポイント残高を管理し、それぞれの最新の累積ポイント残高を各ユーザＱ１、Ｑ２、Ｑ３…側のネットワーク端末５へ送信する。
【００２６】
尚、本発明に係る物々交換ネットシステムをコンピュータに機能させるための、あるいはコンピュータに当該システムの処理手順を実行させるためのプログラムとしたり、あるいはそのプログラムを記録したコンピュータ読み取り可能な例えばＣＤ−ＲＯＭ、光磁気デイスク、ＤＶＤ−ＲＯＭ、ＦＤ、フラッシュメモリ、メモリステイック等の記録媒体としての形態も可能である。
【図面の簡単な説明】
【００２７】
【図１】本発明を実施するための最良の形態を示すシステム構成図である。
【図２】同じくシステム動作を説明するフローチャート図である。
【符号の説明】
【００２８】
Ｐ                サーバ
Ｑ１、Ｑ２、Ｑ３  ユーザ
Ｗ                ネットワーク
１                ウェブサーバ
２                ユーザ管理情報データベース
３                商品登録情報データベース
４                ポイント管理データベース
５                ネットワーク端末
６                商品登録手段
７                商品取得手段
８                ポイント付与手段
【図１】
2008097486.tif 000003
【図２】
2008097486.tif 000004